【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
システムであって、
ボルトに結合するように構成された第１の端部、前記第１の端部の反対側の第２の端部、及び、第１の絶縁領域と第２の絶縁領域の間の導電領域、を含む接触デバイスと、
前記ボルトのネジ突出の量を検証するためのユニットであって、前記接触デバイスの前記第２の端部が該ユニットを通って移動する時に該接触デバイスと順次接触するように各々が配置された複数の電気ブラシを含む前記ユニットと、
を含み、
前記複数の電気ブラシは、
前記接触デバイスの前記導電領域に電流又は電圧を印加するように構成された給電ブラシと、
前記接触デバイスの前記第２の端部が前記ユニットを通って少なくとも第１の距離を移動した時に前記ボルトの前記ネジ突出の量の第１の表示を発生するように構成された第１の電気ブラシと、
前記接触デバイスの前記第２の端部が前記ユニットを通って少なくとも第２の距離を移動した時に前記ボルトの前記ネジ突出の量の第２の表示を発生するように構成された第２の電気ブラシと、
前記接触デバイスの前記第２の端部が前記ユニットを通って少なくとも第３の距離を移動した時に前記ボルトの前記ネジ突出の量の第３の表示を発生するように構成された第３の電気ブラシと、
を含む、ことを特徴とするシステム。
【請求項２】
前記第１の電気ブラシは、該第１の電気ブラシが前記接触デバイスの前記導電領域と接触する時に前記ボルトの前記ネジ突出の量の前記第１の表示を発生するように構成され、  前記第２の電気ブラシは、該第２の電気ブラシが前記接触デバイスの前記導電領域と接触する時に前記ボルトの前記ネジ突出の量の前記第２の表示を発生するように構成され、  前記第３の電気ブラシは、該第３の電気ブラシが前記接触デバイスの前記導電領域と接触する時に前記ボルトの前記ネジ突出の量の前記第３の表示を発生するように構成される、
ことを特徴とする請求項１に記載のシステム。
【請求項３】
前記第１の表示は、前記ボルトの前記ネジ突出の量が許容範囲よりも低いという表示を含み、
前記第２の表示は、前記ボルトの前記ネジ突出の量が前記許容範囲内であるという表示を含み、
前記第３の表示は、前記ボルトの前記ネジ突出の量が前記許容範囲を超えるという表示を含む、
ことを特徴とする請求項１に記載のシステム。
【請求項４】
前記ネジ突出を検証するためのユニットは、１又は２以上の発生された前記表示のうちの１又は２以上をユーザに提供するためのディスプレイを更に含むことを特徴とする請求項１に記載のシステム。
【請求項５】
前記接触デバイスは、前記第１の端部に近接して該接触デバイスを前記ボルトの内側の固定距離に着座させるように構成された肩部を更に含むことを特徴とする請求項１のシステム。
【請求項６】
前記ネジ突出を検証するためのユニットの前記接触デバイスに対する位置を調節するための較正機構を更に含むことを特徴とする請求項１に記載のシステム。
【請求項７】
前記電気ブラシは、グラファイト直流モータブラシを含むことを特徴とする請求項１に記載のシステム。
【請求項８】
装置であって、
ハウジングと、
接触デバイスが前記ハウジングを通って移動する時に前記接触デバイスに順次接触するように各々が配置された複数の電気接点と、
前記接触デバイスに対する前記装置の位置を調節するための較正機構と、
を含み、
前記接触デバイスは、
ボルトに結合するように構成された第１の端部と、
前記第１の端部の反対側の第２の端部と、
第１の絶縁領域と第２の絶縁領域の間の導電領域と、
を含む、ことを特徴とする装置。
【請求項９】
前記複数の電気接点は、
前記接触デバイスの前記導電領域に電流又は電圧を印加するように構成された給電接点と、
前記接触デバイスの前記第２の端部が前記ユニットを通って少なくとも第１の距離を移動した時に前記ボルトのネジ突出の量の第１の表示を発生するように構成された第１の電気接点と、
前記接触デバイスの前記第２の端部が前記ユニットを通って少なくとも第２の距離を移動した時に前記ボルトの前記ネジ突出の量の第２の表示を発生するように構成された第２の電気接点と、
前記接触デバイスの前記第２の端部が前記ユニットを通って少なくとも第１の距離を移動した時にナットからの前記ボルトの前記ネジ突出の量の第３の表示を発生するように構成された第３の電気接点と、
を含む、ことを特徴とする請求項８に記載の装置。
【請求項１０】
前記第１の表示は、前記ボルトの前記ネジ突出の量が許容範囲よりも低いという表示を含み、
前記第２の表示は、前記ボルトの前記ネジ突出の量が前記許容範囲内であるという表示を含み、
前記第３の表示は、前記ボルトの前記ネジ突出の量が前記許容範囲を超えるという表示を含む、
ことを特徴とする請求項９に記載の装置。
【請求項１１】
１又は２以上の発生された前記表示のうちの１又は２以上をユーザに提供するためのディスプレイを更に含むことを特徴とする請求項９に記載の装置。
【請求項１２】
前記複数の電気接点は、グラファイト直流モータブラシを含むことを特徴とする請求項８に記載の装置。
【請求項１３】
第１の絶縁領域と第２の絶縁領域の間に導電領域を含む接触デバイスの第１の端部をボルトに結合する段階と、
ナットが締め付けられる時に前記接触デバイスがネジ突出を検証するためのユニットを通って移動するように前記ナットを前記ボルトに締め付ける段階であって、該ユニットが複数の電気ブラシを含み、該接触デバイスが該ユニットを通って移動する時に前記複数の電気ブラシの各々が該接触デバイスと順次接触するように配置された、前記締め付ける段階と、
前記複数の電気ブラシのうちの１又は２以上により、前記ナットからの前記ボルトのネジ突出の量の１又は２以上の表示を発生させる段階と、
を含むことを特徴とする方法。
【請求項１４】
前記複数の電気ブラシは、給電ブラシを含み、
方法が、前記給電ブラシにより、前記接触デバイスの前記導電領域に電流又は電圧を印加する段階、を更に含むことを特徴とする請求項１３に記載の方法。
【請求項１５】
前記複数の電気ブラシは、第１の電気ブラシ、第２の電気ブラシ、及び第３の電気ブラシを含み、
前記複数の電気ブラシのうちの１又は２以上により、前記ナットからの前記ボルトのネジ突出の量の１又は２以上の表示を発生させる前記段階は、
前記接触デバイスが前記ユニットを通って少なくとも第１の距離を移動した時に前記第１の電気ブラシが該接触デバイスの前記導電領域に接触すると、前記ボルトの前記ネジ突出の量の第１の表示を該第１の電気ブラシによって発生させる段階と、
前記接触デバイスが前記ユニットを通って少なくとも第２の距離を移動した時に前記第２の電気ブラシが該接触デバイスの前記導電領域に接触すると、前記ボルトの前記ネジ突出の量の第２の表示を該第２の電気ブラシによって発生させる段階と、
前記接触デバイスが前記ユニットを通って少なくとも第３の距離を移動した時に前記第３の電気ブラシが該接触デバイスの前記導電領域に接触すると、前記ボルトの前記ネジ突出の量の第３の表示を該第３の電気ブラシによって発生させる段階と、
のうちの１又は２以上を含む、ことを特徴とする請求項１３に記載の方法。
【請求項１６】
前記第１の表示は、前記ボルトの前記ネジ突出の量が許容範囲よりも低いという表示を含み、
前記第２の表示は、前記ボルトの前記ネジ突出の量が前記許容範囲内であるという表示を含み、
前記第３の表示は、前記ボルトの前記ネジ突出の量が前記許容範囲を超えるという表示を含む、
ことを特徴とする請求項１５に記載の方法。
【請求項１７】
１又は２以上の発生された前記表示のうちの１又は２以上を表示する段階を更に含むことを特徴とする請求項１３に記載の方法。
【請求項１８】
前記ネジ突出を検証するためのユニットの前記接触デバイスに対する位置を調節する段階を更に含むことを特徴とする請求項１３に記載の方法。
【請求項１９】
前記複数の電気ブラシは、グラファイト直流モータブラシを含むことを特徴とする請求項１３に記載の方法。